(57)【特許請求の範囲】
【請求項１】
無線通信システム内で複数の無線ノードからのデータの同時伝送をスケジューリングするための方法であって、
前記複数の無線ノードからのアップリンク伝送に関する情報を求める要求を伝送することと、
伝送された前記要求に応答して、前記複数の無線ノードから伝送された複数の応答を受信することと、ここで、各応答は特定の無線ノードからのアップリンクに関する情報を含む、
前記受信した複数の応答に基づいて前記複数の無線ノードの少なくとも幾つかの１組にアップリンクリソースを割り当てる、割当確認メッセージを伝送することと、
前記複数の無線ノードの少なくとも幾つかの１組からデータの同時伝送を受信することと、ここで、前記データの同時伝送のタイミングが前記伝送された前記要求の信号特性に基づいて同期されている、
を備える、方法。
【請求項２】
前記データの同時伝送は、空間分割多元接続（ＳＤＭＡ）方式を通じて送信されている、請求項１に記載の方法。
【請求項３】
前記要求、又は前記割当確認メッセージ、又はこれらの組み合わせは、ＩＥＥＥ８０２．１１標準の少なくとも１つに規定されるメッセージ形式を使用して伝送される、請求項１に記載の方法。
【請求項４】
前記複数の無線ノードからのアップリンク伝送に関する情報を求める前記要求を伝送する前に、チャネルアクセスを実行すること
をさらに備える、請求項１に記載の方法。
【請求項５】
前記要求に応答して、前記無線ノードからのアップリンク伝送に関する情報を受信することは、
直交分割多元接続（ＯＦＤＭＡ）方式により前記複数の無線ノードから同時に伝送された複数の応答からの前記情報を受信すること
を備える、請求項１に記載の方法。
【請求項６】
各無線ノードは、登録プロセス中に割り当てられる利用可能なトーンのそれぞれのサブセット上で、それぞれのアップリンク伝送に関する情報を伝送する、請求項５に記載の方法。
【請求項７】
前記割当確認メッセージは、
タイミング調節情報、又は周波数調節情報、又は電力調節情報、又はこれらの組み合わせ
を含む、請求項１に記載の方法。
【請求項８】
前記割当確認メッセージは、前記複数の無線ノードの少なくとも一部の前記組の各無線ノードのタイミング調節情報のいくつかのビットを含む、請求項７に記載の方法。
【請求項９】
前記無線ノードは、前記複数の応答の少なくとも一部分に基づいて、アップリンクリソースを割り当てられることを決定することを
をさらに備える、請求項１に記載の方法。
【請求項１０】
前記複数の無線ノードから伝送されるサウンディング信号を受信すること
をさらに備える、請求項１に記載の方法。
【請求項１１】
前記受信したサウンディング信号の少なくとも一部分に基づき、どの無線ノードにアップリンクリソースを割り当てるか決定すること
をさらに備える、請求項１０に記載の方法。
【請求項１２】
前記受信したサウンディング信号の少なくとも一部分に基づき、前記複数の無線ノードからの前記アップリンク伝送のデータレートを決定すること
をさらに備える、請求項１０に記載の方法。
【請求項１３】
前記複数の応答を受信したことを肯定応答する、肯定応答メッセージを伝送することをさらに備える、請求項１に記載の方法。
【請求項１４】
複数の無線ノードからのデータの同時伝送をサポートする無線通信システム内で、無線ノードからのデータの伝送をスケジューリングするための方法であって、
第１の無線ノードで、前記複数の無線ノードからのそれぞれのアップリンク伝送に関する情報を求める要求を受信することと、
前記要求に応答して、前記システム内で利用可能なトーンのサブセットを利用する直交周波数分割多元接続（ＯＦＤＭＡ）伝送方式により、前記第１の無線ノードのアップリンク伝送に関する情報を伝送することと、
前記伝送された情報を受信したことを肯定応答するメッセージを受信することと、
前記メッセージを受信した後に、第２の無線ノードからの第２のアップリング伝送と同時に、アップリンク上でデータを伝送することと、ここで前記伝送したデータ及び前記第２のアップリンク伝送のタイミングは前記要求の信号特性に基づいて同期されている、
を備える、方法。
【請求項１５】
前記要求、又は前記メッセージ、又はこれらの組み合わせが、ＩＥＥＥ８０２．１１標準の少なくとも１つに規定されるメッセージ形式を使用して伝送される、請求項１４に記載の方法。
【請求項１６】
アップリンク上でデータを伝送することは、
空間分割多元接続（ＳＤＭＡ）方式により、他の無線ノードからの他のアップリンク伝送と同時に、前記アップリンク上で前記データを伝送すること
を備える、請求項１４に記載の方法。
【請求項１７】
前記アップリンクに関する前記情報は、登録プロセス中に割り当てられる利用可能なトーンの特定のサブセット上で、ＯＦＤＭＡ伝送方式により伝送される、請求項１６に記載の方法。
【請求項１８】
前記メッセージ内で、
タイミング調節情報、又は周波数調節情報、又は電力調節情報、又はこれらの組み合わせ、を受信することをさらに備える、請求項１４に記載の方法。
【請求項１９】
前記アップリンク伝送に関する伝送済み情報を受信したことを肯定応答する前記メッセージを受信した後に、チャネル推定で使用するためのサウンディング信号を伝送すること
をさらに備える、請求項１４に記載の方法。
【請求項２０】
前記アップリンク上で前記データを伝送するために使用するためのデータレートの指示を受信すること
をさらに備える、請求項１４に記載の方法。
【請求項２１】
前記アップリンク伝送に関する前記情報は、
伝送クラスの指示、又は伝送の長さ、又はこれらの組み合わせ
を備える、請求項１４に記載の方法。
【請求項２２】
無線通信システム内で複数の無線ノードからのデータの同時伝送をスケジューリングするための装置であって、
前記複数の無線ノードからのアップリンク伝送に関する情報を求める要求を伝送するためのロジックと、
伝送された前記要求に応答して、前記複数の無線ノードから伝送された複数の応答を受信するためのロジックと、ここで、各応答は特定の無線ノードからのアップリンクに関する情報を含む、
前記受信した複数の応答に基づいて前記複数の無線ノードの少なくとも幾つかの１組にアップリンクリソースを割り当てる、割当確認メッセージを伝送するためのロジックと、
前記複数の無線ノードの少なくとも幾つかの１組からデータの同時伝送を受信するためのロジックと、ここで、前記データの同時伝送のタイミングが前記伝送された前記要求の信号特性に基づいて同期されている、
を備える、装置。
【請求項２３】
前記データの同時伝送は、空間分割多元接続（ＳＤＭＡ）方式を通じて送信されている、
請求項２２に記載の装置。
【請求項２４】
前記要求、又は前記割当確認メッセージ、又はこれらの組み合わせは、ＩＥＥＥ８０２．１１標準の少なくとも１つに規定されるメッセージ形式を使用して伝送される、請求項２２に記載の装置。
【請求項２５】
前記要求を伝送する前に、チャネルアクセスを実行するためのロジック
をさらに備える、請求項２２に記載の装置。
【請求項２６】
前記要求に応答して、前記無線ノードからのアップリンク伝送に関する情報を受信するための前記ロジックは、直交分割多元接続（ＯＦＤＭＡ）方式により前記複数の無線ノードから同時に伝送される前記複数の応答から前記情報を受信するように構成される、請求項２２に記載の装置。
【請求項２７】
各無線ノードは、登録プロセス中に割り当てられる利用可能なトーンのサブセット上で各応答を伝送する、請求項２６に記載の装置。
【請求項２８】
前記割当確認メッセージは、タイミング調節情報、又は周波数調節情報、又は電力調節情報、又はこれらの組み合わせ
のうちの少なくとも１つを含む、請求項２２に記載の装置。
【請求項２９】
前記割当確認メッセージは、前記複数の無線ノードの少なくとも幾つかの組の各無線ノードのタイミング調節情報を含む、請求項２８に記載の装置。
【請求項３０】
前記受信した複数の応答の少なくとも一部分に基づいて、どの無線ノードにアップリンクリソースを割り当てるかを決定するためのロジック
をさらに備える、請求項２２に記載の装置。
【請求項３１】
前記無線ノードから伝送されるサウンディング信号を受信するためのロジック
をさらに備える、請求項２２に記載の装置。
【請求項３２】
前記受信したサウンディング信号に少なくとも一部分に基づき、どの無線ノードにアップリンクリソースを割り当てるか決定するためのロジック
をさらに備える、請求項３１に記載の装置。
【請求項３３】
前記受信したサウンディング信号に少なくとも一部分に基づき、前記複数の無線ノードからのアップリンク伝送のデータレートを決定するためのロジック
をさらに備える、請求項３１に記載の装置。
【請求項３４】
前記受信した複数の応答を受信したことを肯定応答する、肯定応答メッセージを伝送するためのロジックをさらに備える、請求項２２に記載の装置。
【請求項３５】
複数の無線ノードからのデータの同時伝送をサポートする無線通信システム内で、無線ノードからのデータの伝送をスケジューリングするための装置であって、
第１の無線ノードで、前記複数の無線ノードからのそれぞれのアップリンク伝送に関する情報を求める要求を受信するためのロジックと、
前記要求に応答して、前記システム内で利用可能なトーンのサブセットを利用する直交周波数分割多元接続（ＯＦＤＭＡ）伝送方式により、アップリンク伝送に関する情報を伝送するためのロジックと、
前記伝送された情報を受信したことを肯定応答するメッセージを受信するためのロジックと、
前記メッセージを受信した後に、第２の無線ノードからの第２のアップリング伝送と同時に、アップリンク上でデータを伝送するためのロジックと、ここで前記伝送したデータ及び前記第２のアップリンク伝送のタイミングは前記要求の信号特性に基づいて同期されている、
を備える、装置。
【請求項３６】
前記要求、又は前記メッセージ、又はこれらの組み合わせが、ＩＥＥＥ８０２．１１標準の少なくとも１つに規定されるメッセージ形式を使用して伝送される、請求項３５に記載の装置。
【請求項３７】
アップリンク上でデータを伝送するための前記ロジックは、空間分割多元接続（ＳＤＭＡ）方式により、他の無線ノードからの他のアップリンク伝送と同時に、前記アップリンク上でデータを伝送するように構成される、請求項３５に記載の装置。
【請求項３８】
前記アップリンク伝送に関する前記情報は、登録プロセス中に割り当てられる利用可能なトーンの特定のサブセット上で、ＯＦＤＭＡ伝送方式により、伝送される、請求項３７に記載の装置。
【請求項３９】
前記メッセージ内で、タイミング調節情報、又は周波数調節情報、又は電力調節情報、又はこれらの組み合わせを受信するためのロジックをさらに備える、請求項３５に記載の装置。
【請求項４０】
前記メッセージを受信した後に、チャネル推定で使用するためのサウンディング信号を伝送するためのロジック
をさらに備える、請求項３５に記載の装置。
【請求項４１】
前記アップリンク上でデータを伝送するために使用するためのデータレートの指示を受信するためのロジック
をさらに備える、請求項３５に記載の装置。
【請求項４２】
前記アップリンク伝送に関する前記情報は、
伝送クラスの指示、又は伝送の長さ、又はこれらの組み合わせを備える、請求項３５に記載の装置。
【請求項４３】
無線通信システム内で複数の無線ノードからのデータの同時伝送をスケジューリングするための装置であって、
前記複数の無線ノードからのアップリンク伝送に関する情報を求める要求を伝送するための手段と、
前記伝送された前記要求に応答して、前記複数の無線ノードからの伝送された複数の応答を受信するための手段と、ここで、各応答は特定の無線ノードからのアップリンク伝送に関する情報を含む、
前記受信した複数の応答に基づいて前記複数の無線ノードの少なくとも幾つかの１組にアップリンクリソースを割り当てる、割当確認メッセージを伝送するための手段と、
前記複数の無線ノードの少なくとも幾つかの前記１組からデータの同時伝送を受信するための手段と、ここで前記データの同時伝送は、前記伝送された要求の信号特性に基づいて同期されている、
を備える、装置。
【請求項４４】
前記データの前記同時伝送は、空間分割多元接続（ＳＤＭＡ）方式により送信される、請求項４３に記載の装置。
【請求項４５】
前記要求、又は前記メッセージ、又はこれらの組み合わせは、ＩＥＥＥ８０２．１１標準の少なくとも１つに規定されるメッセージ形式を使用して伝送される、請求項４３に記載の装置。
【請求項４６】
前記要求を伝送する前に、チャネルアクセスを実行するための手段
をさらに備える、請求項４３に記載の装置。
【請求項４７】
前記伝送された要求に応答して、前記複数の無線ノードから伝送された複数の応答を受信するための前記手段は、直交分割多元接続（ＯＦＤＭＡ）方式により前記無線ノードから同時に伝送された前記複数の応答を受信するように構成される、請求項４３に記載の装置。
【請求項４８】
各無線ノードは、登録プロセス中に割り当てられる利用可能なトーンのそれぞれのサブセット上でそれぞれのアップリンク伝送に関する情報を伝送する、請求項４７に記載の装置。
【請求項４９】
前記割当確認メッセージは、タイミング調節情報、又は周波数調節情報、又は電力調節情報、又はこれらの組み合わせを含む、請求項４３に記載の装置。
【請求項５０】
前記割当確認メッセージは、前記複数の無線ノードの少なくとも幾つかの前記１組の各無線ノードのためのタイミング調節情報のいくつかのビットを含む、請求項４９に記載の装置。
【請求項５１】
前記受信した複数の応答の少なくとも一部分に基づき、どの無線ノードにアップリンクリソースを割り当てるか決定するための手段
をさらに備える、請求項４３に記載の装置。
【請求項５２】
前記無線ノードから伝送されるサウンディング信号を受信するための手段
をさらに備える、請求項４３に記載の装置。
【請求項５３】
前記受信したサウンディング信号の少なくとも一部分に基づき、どの無線ノードにアップリンクリソースを割り当てるか決定するための手段
をさらに備える、請求項５２に記載の装置。
【請求項５４】
前記受信したサウンディング信号の少なくとも一部分に基づき、前記複数の無線ノードからのアップリンク伝送のデータレートを決定するための手段
をさらに備える、請求項５２に記載の装置。
【請求項５５】
前記複数の応答の受信を肯定する肯定応答メッセージを伝送するための手段をさらに備える、請求項４３に記載の装置。
【請求項５６】
複数の無線ノードからのデータの同時伝送をサポートする無線通信システム内で、無線ノードからのデータの伝送をスケジューリングするための装置であって、
第１の無線ノードで、前記複数の無線ノードからのそれぞれのアップリンク伝送に関する情報を求める要求を受信するための手段と、
前記要求に応答して、前記システム内で利用可能なトーンのサブセットを利用する直交周波数分割多元接続（ＯＦＤＭＡ）伝送方式により、前記第１の無線ノードのアップリンク伝送に関する情報を伝送するための手段と、
前記伝送された情報を受信したことを肯定応答するメッセージを受信するための手段と、
前記メッセージを受信した後に、第２の無線ノードからの第２のアップリンク伝送と同時に、アップリンク上でデータを伝送するための手段と、ここで前記伝送したデータ及び前記第２のアップリンク伝送のタイミングは前記要求の信号特性に基づいて同期されている、
を備える、装置。
【請求項５７】
前記要求、又は前記メッセージ、又はこれらの組み合わせが、ＩＥＥＥ８０２．１１標準の少なくとも１つに規定されるメッセージ形式を使用して伝送される、請求項５６に記載の装置。
【請求項５８】
アップリンク上でデータを伝送するための前記手段は、空間分割多元接続（ＳＤＭＡ）方式により、他の無線ノードから他のアップリンク伝送と同時に、前記アップリンク上で前記データを伝送するように構成される、請求項５６に記載の装置。
【請求項５９】
前記アップリンク伝送に関する情報は、登録プロセス中に割り当てられる利用可能なトーンの特定のサブセット上で、ＯＦＤＭＡ伝送方式により伝送される、請求項５８に記載の装置。
【請求項６０】
前記メッセージ内で、タイミング調節情報、又は周波数調節情報、又は電力調節情報、又はこれらの組み合わせを受信するための手段をさらに備える、請求項５６に記載の装置。
【請求項６１】
前記メッセージを受信した後に、チャネル推定で使用するためのサウンディング信号を伝送するための手段
をさらに備える、請求項５６に記載の装置。
【請求項６２】
前記アップリンク上で前記データを伝送するために使用するためのデータレートの指示を受信するための手段
をさらに備える、請求項５６に記載の装置。
【請求項６３】
アップリンク伝送に関する前記情報は、伝送クラスの指示、又は伝送の長さ、又はこれらの組み合わせを備える、請求項５６に記載の装置。
【請求項６４】
無線通信システム内で複数の無線ノードからのデータの同時伝送をスケジューリングする前記ワイヤレス通信システムに使用されるコンピュータ可読格納媒体であり、
前記コンピュータ可読格納媒体は命令を格納しており、該命令は、１つ又は複数のプロセッサにより実行されるものであり、そして該命令は、
前記複数の無線ノードからのアップリンク伝送に関する情報を求める要求を伝送し、
前記伝送された要求に応答して、前記複数の無線ノードから伝送された複数の応答を受信する、ここで各応答は特定の無線ノードからのアップリンク伝送に関する情報を含み、
前記受信した複数の応答に基づいて前記複数の無線ノードの少なくとも幾つかの１組にアップリンクリソースを割り当てる割当確認メッセージを伝送する、
前記複数の無線ノードの少なくとも幾つかの１組からデータの同時伝送を受信する、ここでデータの前記同時伝送のタイミングは、前記伝送された要求の信号特性に基づいて同期されている、
命令を備える、
コンピュータ可読格納媒体。
【請求項６５】
複数の無線ノードからのデータの同時伝送をサポートする無線通信システム内で、無線ノードからのデータの伝送をスケジューリングするために、前記無線通信システム内で使用されるコンピュータ可読格納媒体であって、前記コンピュータ可読格納媒体は命令を格納しており、前記命令は１つ又は複数のプロセッサにより実行可能であり、前記命令は、
第１の無線ノードで、前記複数の無線ノードからのアップリンク伝送に関する情報を求める要求を受信する、
前記要求に応答して、前記システム内で利用可能なトーンのサブセットを利用する直交周波数分割多元接続（ＯＦＤＭＡ）伝送方式により、前記第１の無線ノードのアップリンク伝送に関する情報を伝送する、
前記伝送された情報を受信したことを肯定応答するメッセージを受信する、
前記メッセージを受信した後に、第２の無線ノードから第２のアップリンク伝送と同時にアップリンク上でデータを伝送する、ここで、前記データの伝送と前記第２のアップリンク伝送のタイミングは前記要求の信号特性に基づいて同期されている、
ための命令を備える、コンピュータ可読格納媒体。
【請求項６６】
前記伝送された要求の信号特性は、帯域幅、又はガードインターバル長、又はパイロットトーン番号、又は前記伝送された要求の受信電力、又はこれらの組み合わせを含む、請求項１に記載の方法。
【請求項６７】
前記割り当て確認メッセージの伝送の後に、そして、続く空間分割多元接続（ＳＤＭＡ）メッセージ交換の初期に、メモリから前記受信された複数の要求をフラッシュすることをさらに備える請求項１記載の方法。
【発明の詳細な説明】
【技術分野】
【０００１】
関連出願の相互参照
本出願は、２００８年８月１９日に出願され、その全体が参照により本明細書に組み込まれる、米国仮特許出願第６１／０９０，２０７号の利益を主張するものである。
【背景技術】
【０００２】
無線通信システムに必要な帯域幅要件が高まりつつある問題に対処するために、高いデータスループットを達成しながら、同じチャネル（同じ時間および周波数リソース）を共用することにより、複数のユーザ端末が単一の基地局と通信することを可能にする様々な方式が開発されている。空間分割多元接続（ＳＤＭＡ）は、次世代の通信システム向けの人気のある技法として最近登場したそうした１つの手法の典型である。
【０００３】
ＳＤＭＡシステムでは、基地局は、複数の移動ユーザ端末との間で様々な信号を同時にかつ同じ周波数を使用して送受信することができる。確実なデータ通信を達成するために、ユーザ端末は十分に異なる方向に位置する必要があり得る。基地局における複数の空間分離されたアンテナのそれぞれから、独立した信号を同時に伝送することができる。その結果、一体化された伝送は指向性とすることができ、すなわち各ユーザ端末ごとに専用の信号は、その特定のユーザ端末の方向に比較的強く、他のユーザ端末の方向に十分に弱いものとすることができる。同様に、基地局は、空間的に分離された複数のアンテナのそれぞれを介し、一体化された信号を複数のユーザ端末から同じ周波数上で同時に受信することができ、複数のアンテナからのその一体化された受信済み信号は、適切な信号処理技法を適用することにより、それぞれのユーザ端末から伝送される独立した信号へと分割することができる。
【０００４】
マルチ入力マルチ出力（ＭＩＭＯ）無線システムは、データを伝送するためにいくつか（ＮT）の送信アンテナと、いくつか（ＮR）の受信アンテナとを使用する。このＮT個の送信アンテナおよびＮR個の受信アンテナによって形成されるＭＩＭＯチャネルは、ＮS個の空間チャネルへと分解することができ、事実上、ＮS≦ｍｉｎ｛ＮT，ＮR｝である。このＮS個の空間チャネルは、ＮS個の独立したデータストリームを伝送してより優れた全体的スループットを達成するために使用することができる。
【０００５】
ＳＤＭＡに基づく多元接続ＭＩＭＯシステムでは、アクセスポイントが、任意の所与の時点において１台または複数台のユーザ端末と通信することができる。アクセスポイントが単一のユーザ端末と通信する場合、ＮT個の送信アンテナは１つの伝送エンティティ（アクセスポイントまたはユーザ端末）に関連し、ＮR個の受信アンテナは１つの受信エンティティ（ユーザ端末またはアクセスポイント）に関連する。このアクセスポイントは、ＳＤＭＡにより複数のユーザ端末と同時に通信することもできる。ＳＤＭＡでは、アクセスポイントはデータを送受信するために複数のアンテナを利用し、ユーザ端末のそれぞれは、データを送受信するために、アクセスポイントのアンテナの数よりも典型的には少ない数を利用する。アクセスポイントからＳＤＭＡが伝送されるとき、ＮS≦ｍｉｎ｛ＮT，ｓｕｍ（ＮR）｝であり、ただし、ｓｕｍ（ＮR）はすべてのユーザ端末の受信アンテナの総和を表す。ＳＤＭＡがアクセスポイントに伝送されるとき、ＮS≦ｍｉｎ｛ｓｕｍ（ＮT），ＮR｝であり、ただし、ｓｕｍ（ＮT）はすべてのユーザ端末の送信アンテナの総和を表す。
【発明の概要】
【０００６】
ある実施形態は、無線通信システム内で複数の無線ノードからのデータの同時伝送をスケジューリングするための方法を提供する。この方法は概して、無線ノードからのアップリンク伝送に関する情報を求める要求を伝送することと、その要求に応答して、無線ノードからのアップリンク伝送に関する情報を受信することと、その受信した情報に基づいて１組の無線ノードの少なくとも一部にアップリンクリソースを割り当てる、割当確認メッセージを伝送することと、その１組の無線ノードからデータの同時伝送を受信することとを含む。
【０００７】
ある実施形態は、複数の無線ノードからのデータの同時伝送をサポートする無線通信システム内で、無線ノードからのデータの伝送をスケジューリングするための方法を提供する。この方法は概して、システム内で利用可能なトーンのサブセットを利用する直交周波数分割多元接続（ＯＦＤＭＡ）伝送方式により、アップリンク伝送に関する情報を伝送することと、そのアップリンク伝送に関する伝送済み情報を受信したことを肯定応答するメッセージを受信することと、割当確認メッセージを受信した後にアップリンク上でデータを伝送することとを含む。
【０００８】
ある実施形態は、無線通信システム内で複数の無線ノードからのデータの同時伝送をスケジューリングするための装置を提供する。この装置は概して、無線ノードからのアップリンク伝送に関する情報を求める要求を伝送するためのロジックと、その要求に応答して、無線ノードからのアップリンク伝送に関する情報を受信するためのロジックと、その受信した情報に基づいて１組の無線ノードの少なくとも一部にアップリンクリソースを割り当てる、割当確認メッセージを伝送するためのロジックと、その１組の無線ノードからデータの同時伝送を受信するためのロジックとを含む。
【０００９】
ある実施形態は、複数の無線ノードからのデータの同時伝送をサポートする無線通信システム内で、無線ノードからのデータの伝送をスケジューリングするための装置を提供する。この装置は概して、システム内で利用可能なトーンのサブセットを利用する直交周波数分割多元接続（ＯＦＤＭＡ）伝送方式により、アップリンク伝送に関する情報を伝送するためのロジックと、そのアップリンク伝送に関する伝送済み情報を受信したことを肯定応答するメッセージを受信するためのロジックと、割当確認メッセージを受信した後にアップリンク上でデータを伝送するためのロジックとを含む。
【００１０】
ある実施形態は、無線通信システム内で複数の無線ノードからのデータの同時伝送をスケジューリングするための装置を提供する。この装置は概して、無線ノードからのアップリンク伝送に関する情報を求める要求を伝送するための手段と、その要求に応答して、無線ノードからのアップリンク伝送に関する情報を受信するための手段と、その受信した情報に基づいて１組の無線ノードの少なくとも一部にアップリンクリソースを割り当てる、割当確認メッセージを伝送するための手段と、その１組の無線ノードからデータの同時伝送を受信するための手段とを含む。
【００１１】
ある実施形態は、複数の無線ノードからのデータの同時伝送をサポートする無線通信システム内で、無線ノードからのデータの伝送をスケジューリングするための装置を提供する。この装置は概して、システム内で利用可能なトーンのサブセットを利用する直交周波数分割多元接続（ＯＦＤＭＡ）伝送方式により、アップリンク伝送に関する情報を伝送するための手段と、そのアップリンク伝送に関する伝送済み情報を受信したことを肯定応答するメッセージを受信するための手段と、割当確認メッセージを受信した後にアップリンク上でデータを伝送するための手段とを含む。
【００１２】
ある実施形態は、１個または複数個のプロセッサによって実行可能な命令がその上に記憶されたコンピュータ可読媒体を備える、無線通信システム内で複数の無線ノードからのデータの同時伝送をスケジューリングするためのコンピュータプログラム製品を提供する。この命令は概して、無線ノードからのアップリンク伝送に関する情報を求める要求を伝送し、その要求に応答して、無線ノードからのアップリンク伝送に関する情報を受信し、その受信した情報に基づいて１組の無線ノードの少なくとも一部にアップリンクリソースを割り当てる、割当確認メッセージを伝送し、その１組の無線ノードからデータの同時伝送を受信するための命令を含む。
【００１３】
ある実施形態は、１個または複数個のプロセッサによって実行可能な命令がその上に記憶されたコンピュータ可読媒体を備える、複数の無線ノードからのデータの同時伝送をサポートする無線通信システム内で、無線ノードからのデータの伝送をスケジューリングするためのコンピュータプログラム製品を提供する。この命令は概して、システム内で利用可能なトーンのサブセットを利用する直交周波数分割多元接続（ＯＦＤＭＡ）伝送方式により、アップリンク伝送に関する情報を伝送し、そのアップリンク伝送に関する伝送済み情報を受信したことを肯定応答するメッセージを受信し、割当確認メッセージを受信した後にアップリンク上でデータを伝送するための命令を含む。
【００１４】
本開示についての上記に列挙した特徴を詳細に理解できるように、添付図面にその一部を示す、上記に簡潔に要約したより具体的な説明を諸実施形態を参照することにより得ることができる。しかし、添付図面は本開示の特定の典型的な実施形態を示すに過ぎず、したがって、この説明は他の等しく有効な実施形態を許容することができるため、本開示の範囲を限定するものとみなすべきでないことに留意すべきである。
【図面の簡単な説明】
【００１５】
【図１】本開示のある実施形態による、空間分割多元接続ＭＩＭＯ無線システムを示す図。
【図２】本開示のある実施形態による、１つのアクセスポイントおよび２台のユーザ端末のブロック図。
【図３】本開示のある実施形態による、無線デバイスのコンポーネントの例を示す図。
【図４】本開示の一実施形態による、複数の接続局のアップリンク伝送を同期するための動作の例を示す図。
【図４Ａ】図４に示す動作を実行することができるコンポーネントの例を示す図。
【図５】ＳＤＭＡシステム内で複数の接続局のアップリンク伝送を同期するためのメッセージフローの例を示す、タイミング図の一例を示す図。
【発明を実施するための形態】
【００１６】
用語「例示的」は、「例、実例、または例証であること」を意味するために本明細書で使用する。「例示的」として本明細書に記載するいかなる実施形態も、必ずしも他の実施形態以上に好ましくまたは有利であると解釈すべきでない。また、本明細書で使用するとき、用語「レガシー局」は、概してＩＥＥＥ８０２．１１ｎまたは前のバージョンをサポートする標準の８０２．１１の無線ネットワークノードを指す。
【００１７】
本明細書に記載するマルチアンテナ伝送技法は、符号分割多元接続（ＣＤＭＡ）、直交周波数分割多重方式（ＯＦＤＭ）、時分割多元接続（ＴＤＭＡ）など、様々な無線技術と組み合わせて使用することができる。複数のユーザ端末が、様々な（１）ＣＤＭＡの直交符号チャネル、（２）ＴＤＭＡのタイムスロット、または（３）ＯＦＤＭの副帯域により同時にデータを送受信することができる。ＣＤＭＡシステムは、ＩＳ−２０００標準、ＩＳ−９５標準、ＩＳ−８５６標準、広帯域ＣＤＭＡ（Ｗ−ＣＤＭＡ）標準、または他の何らかの標準を実装することができる。ＯＦＤＭシステムは、ＩＥＥＥ８０２．１１標準または他の何らかの標準を実装することができる。ＴＤＭＡシステムは、ＧＳＭ（登録商標）標準または他の何らかの標準を実装することができる。これらの様々な標準は、当技術分野で知られている。
【００１８】
ＭＩＭＯシステムの一例
図１は、アクセスポイントおよびユーザ端末を有する、多元接続ＭＩＭＯシステム１００を示す。簡潔にするため、図１にはアクセスポイント１１０を１つだけ示す。アクセスポイント（ＡＰ）は、概してユーザ端末と通信する固定局であり、基地局または他の何らかの用語で呼ぶこともできる。ユーザ端末は、固定式または移動体とすることができ、移動局、局（ＳＴＡ）、クライアント、無線デバイス、または他の何らかの用語で呼ぶこともできる。ユーザ端末は、携帯電話、携帯情報端末（ＰＤＡ）、ハンドヘルドデバイス、無線モデム、ラップトップコンピュータ、パーソナルコンピュータなどの無線デバイスとすることができる。
【００１９】
アクセスポイント１１０は、任意の所与の時点において、ダウンリンクおよびアップリンク上で１台または複数台のユーザ端末１２０と通信することができる。ダウンリンク（すなわち順方向リンク）とは、アクセスポイントからユーザ端末への通信リンクであり、アップリンク（すなわち逆方向リンク）とは、ユーザ端末からアクセスポイントへの通信リンクである。ユーザ端末は、別のユーザ端末とピアツーピアで通信することもできる。システムコントローラ１３０は、アクセスポイントに結合し、アクセスポイントの調整および制御を行う。
【００２０】
以下の開示の一部は、空間分割多元接続（ＳＤＭＡ）により通信することができるユーザ端末１２０について記載するが、ある実施形態では、ユーザ端末１２０は、ＳＤＭＡをサポートしない何らかのユーザ端末を含むこともできる。したがって、そうした実施形態では、ＡＰ１１０を、ＳＤＭＡユーザ端末および非ＳＤＭＡユーザ端末の両方と通信するように構成することができる。この手法は、旧バージョンのユーザ端末（「レガシー」局）を企業内で引き続き展開することを都合よく可能にし、適切とみなされるときにより新しいＳＤＭＡユーザ端末を導入することを可能にしながら、それら旧バージョンのユーザ端末の有用寿命を延ばすことができる。
【００２１】
システム１００は、ダウンリンクおよびアップリンク上でデータを伝送するために、複数の送信アンテナおよび複数の受信アンテナを使用する。アクセスポイント１１０は、いくつかＮapのアンテナを備え、ダウンリンク伝送のためのマルチ入力（ＭＩ）、およびアップリンク伝送のためのマルチ出力（ＭＯ）を表す。１組Ｎu台の選択されたユーザ端末１２０は、ダウンリンク伝送のためのマルチ出力、およびアップリンク伝送のためのマルチ入力を集合的に表す。純粋なＳＤＭＡでは、Ｎu台のユーザ端末のデータ記号ストリームが何らかの手段によりコード、周波数、または時間で多重化されていない場合、Ｎap≧Ｎu≧１にしておくことが望ましい。ＣＤＭＡで様々な符号チャネル、ＯＦＤＭで副帯域の独立セット、等を使用してデータ記号ストリームを多重化することができる場合、ＮuはＮapよりも大きくてよい。選択されるそれぞれのユーザ端末は、アクセスポイントとの間でユーザ固有データを送受信する。概して、選択されるそれぞれのユーザ端末は、１個または複数個のアンテナを備えることができる（すなわちＮut≧１）。Ｎu台の選択されるユーザ端末は、同じ数のアンテナまたは異なる数のアンテナを有することができる。
【００２２】
ＭＩＭＯシステム１００は、時分割二重通信（ＴＤＤ）システムまたは周波数分割二重通信（ＦＤＤ）システムとすることができる。ＴＤＤシステムでは、ダウンリンクとアップリンクとが同じ周波数帯域を共用する。ＦＤＤシステムでは、ダウンリンクとアップリンクとが異なる周波数帯域を使用する。ＭＩＭＯシステム１００は、伝送用に単一のキャリアまたは複数のキャリアを利用することもできる。それぞれのユーザ端末は、（例えばコストを低く抑えるために）単一のアンテナを備え、または（例えば追加のコストに対応できる場合）複数のアンテナを備えることができる。
【００２３】
図２は、ＭＩＭＯシステム１００内の、アクセスポイント１１０ならびに２台のユーザ端末１２０ｍおよび１２０ｘのブロック図を示す。アクセスポイント１１０は、Ｎap個のアンテナ２２４ａ〜２２４ａｐを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクの送信エンティティであり、アップリンクの受信エンティティである。それぞれのユーザ端末１２０は、アップリンクの送信エンティティであり、ダウンリンクの受信エンティティである。本明細書で使用するとき、「送信エンティティ」とは、無線チャネルを介してデータを伝送することができる、独立して操作される装置またはデバイスであり、「受信エンティティ」とは、無線チャネルを介してデータを受信することができる、独立して操作される装置またはデバイスである。以下の説明では、添字「ｄｎ」はダウンリンクを示し、添字「ｕｐ」はアップリンクを示し、Ｎup台のユーザ端末がアップリンク上での同時伝送のために選択され、Ｎdn台のユーザ端末がダウンリンク上での同時伝送のために選択され、ＮupはＮdnと等しくても等しくなくてもよく、ＮupおよびＮdnは静的な値とすることができ、またはスケジューリング間隔ごとに変わってもよい。アクセスポイントおよびユーザ端末において、ビームステアリングまたは他の何らかの空間的処理技法を使用することができる。
【００２４】
アップリンクについては、アップリンク伝送のために選択される各ユーザ端末１２０において、ＴＸデータプロセッサ２８８がデータ送信装置２８６からトラヒックデータを受け取り、コントローラ２８０から制御データを受け取る。ＴＸデータプロセッサ２８８は、そのユーザ端末のために選択されるレートに関連する符号化方式および変調方式に基づいて、ユーザ端末のトラヒックデータ｛ｄup,m｝を処理（例えば符号化、インタリーブ、および変調）し、データ記号ストリーム｛ｓup,m｝を提供する。ＴＸ空間プロセッサ２９０は、そのデータ記号ストリーム｛ｓup,m｝に対して空間処理を実行し、Ｎut,mの伝送記号ストリームをＮut,m個のアンテナに提供する。各送信機ユニット（ＴＭＴＲ）２５４は、それぞれの伝送記号ストリームを受け取り、処理（例えばアナログに変換、増幅、フィルタ、および周波数アップコンバート）してアップリンク信号を生成する。Ｎut,m個の送信機ユニット２５４は、Ｎut,m個のアンテナ２５２からアクセスポイント１１０に伝送するためのＮut,mのアップリンク信号を提供する。
【００２５】
アップリンク上での同時伝送に関し、いくつかＮup台のユーザ端末をスケジュールすることができる。これらのユーザ端末のそれぞれは、自らのデータ記号ストリームに対して空間処理を実行し、自らの１組の伝送記号ストリームをアップリンク上でアクセスポイントに伝送する。
【００２６】
アクセスポイント１１０において、Ｎap個のアンテナ２２４ａ〜２２４ａｐが、アップリンク上で伝送するすべてのＮup台のユーザ端末からアップリンク信号を受信する。各アンテナ２２４は、受信した信号をそれぞれの受信機ユニット（ＲＣＶＲ）２２２に提供する。それぞれの受信機ユニット２２２は、送信機ユニット２５４によって実行される処理を補完する処理を実行し、受信済み記号ストリームを提供する。ＲＸ空間プロセッサ２４０は、Ｎap個の受信機ユニット２２２から受け取るＮapの記号ストリームに対して受信機空間処理を実行し、Ｎupの回復済みアップリンクデータ記号ストリームを提供する。この受信機空間処理は、チャネル相関行列反転（ＣＣＭＩ）、最小２乗平均誤差（ＭＭＳＥ）、逐次干渉除去（ＳＩＣ）、または他の何らかの技法に従って実行される。それぞれの回復済みアップリンクデータ記号ストリーム｛ｓup,m｝は、それぞれのユーザ端末によって伝送されるデータ記号ストリーム｛ｓup,m｝の推定である。ＲＸデータプロセッサ２４２が、そのストリームに使用されたレートに従い、それぞれの回復済みアップリンクデータ記号ストリーム｛ｓup,m｝を処理（例えば復調、ディインタリーブ、および復号）して復号済みデータを得る。各ユーザ端末の復号済みデータは、記憶するためにデータ受信装置２４４に提供しかつ／またはさらに処理するためにコントローラ２３０に提供することができる。
【００２７】
ダウンリンクについては、アクセスポイント１１０において、ＴＸデータプロセッサ２１０が、ダウンリンク伝送がスケジュールされているＮdn台のユーザ端末に関するデータ送信装置２０８からトラヒックデータを受け取り、コントローラ２３０から制御データを受け取り、ことによるとスケジューラ２３４から他のデータを受け取ることができる。この様々な種類のデータは、別々のトランスポートチャネル上で送信することができる。ＴＸデータプロセッサ２１０は、ユーザ端末ごとのトラヒックデータを、そのユーザ端末のために選択されるレートに基づいて処理（例えば符号化、インタリーブ、および変調）する。ＴＸデータプロセッサ２１０は、Ｎdn台のユーザ端末にＮdnのダウンリンクデータ記号ストリームを提供する。ＴＸ空間プロセッサ２２０は、そのＮdnのダウンリンクデータ記号ストリームに対して空間処理を実行し、Ｎap個のアンテナにＮapの伝送記号ストリームを提供する。各送信機ユニット（ＴＭＴＲ）２２２は、それぞれの伝送記号ストリームを受け取り、処理してダウンリンク信号を生成する。Ｎap個の送信機ユニット２２２は、Ｎap個のアンテナ２２４からユーザ端末に伝送するためのＮapのダウンリンク信号を提供する。
【００２８】
各ユーザ端末１２０において、Ｎut,m個のアンテナ２５２が、アクセスポイント１１０からＮapのダウンリンク信号を受信する。各受信機ユニット（ＲＣＶＲ）２５４が、関連するアンテナ２５２から受け取る信号を処理し、受信済み記号ストリームを提供する。ＲＸ空間プロセッサ２６０が、Ｎut,m個の受信機ユニット２５４から受け取るＮut,mの記号ストリームに対して受信機空間処理を実行し、ユーザ端末に回復済みダウンリンクデータ記号ストリーム｛ｓdn,m｝を提供する。この受信機空間処理は、ＣＣＭＩ、ＭＭＳＥ、または他の何らかの技法に従って実行される。ＲＸデータプロセッサ２７０が、その回復済みダウンリンクデータ記号ストリームを処理（例えば復調、ディインタリーブ、および復号）して、そのユーザ端末のための復号済みデータを得る。
【００２９】
図３は、システム１００内で使用できる、無線デバイス３０２で利用することができる様々なコンポーネントを示す。無線デバイス３０２は、本明細書に記載する様々な方法を実施するように構成することができるデバイスの一例である。この無線デバイス３０２は、アクセスポイント１１０またはユーザ端末１２０とすることができる。
【００３０】
無線デバイス３０２は、無線デバイス３０２の動作を制御するプロセッサ３０４を含むことができる。プロセッサ３０４は、中央制御装置（ＣＰＵ）と呼ぶこともできる。読み取り専用メモリ（ＲＯＭ）およびランダムアクセスメモリ（ＲＡＭ）の両方を含むことができるメモリ３０６は、プロセッサ３０４に命令およびデータを提供する。メモリ３０６の一部分は、不揮発性ランダムアクセスメモリ（ＮＶＲＡＭ）を含むこともできる。プロセッサ３０４は、典型的には、メモリ３０６に記憶されるプログラム命令に基づいて論理演算および算術演算を実行する。メモリ３０６内の命令は、本明細書に記載の方法を実施するために実行可能とすることができる。
【００３１】
無線デバイス３０２は、無線デバイス３０２と遠隔地との間のデータの送受信を可能にするための送信機３１０および受信機３１２を含むことができる、ハウジング３０８も含むことができる。送信機３１０および受信機３１２は、トランシーバ３１４へと一体化することができる。複数の送信アンテナ３１６を、ハウジング３０８に取り付け、トランシーバ３１４に電気的に結合することができる。無線デバイス３０２は、複数の送信機、複数の受信機、および複数のトランシーバ（図示せず）を含むこともできる。
【００３２】
無線デバイス３０２は、トランシーバ３１４によって受信される信号のレベルを検出し、定量化する目的で使用することができる信号検出器３１８を含むこともできる。信号検出器３１８は、そうした信号を総エネルギー、記号当たりの副搬送波当たりのエネルギー（energy per subcarrier per symbol）、電力スペクトル密度、および他の信号として検出することができる。無線デバイス３０２は、信号を処理する際に使用するためのディジタル信号プロセッサ（ＤＳＰ）３２０を含むこともできる。
【００３３】
無線デバイス３０２の様々なコンポーネントは、データバスに加え、電力バス、制御信号バス、および状態信号バスを含むことができる、バスシステム３２２によって連結することができる。
【００３４】
本明細書で使用するとき、用語「レガシー」は、概して８０２．１１標準の８０２．１１ｎまたは前のバージョンをサポートする無線ネットワークノードを指す。
【００３５】
特定の技法をＳＤＭＡに関連して本明細書に記載するが、これらの技法は、ＳＤＭＡ、ＯＦＤＭＡ、ＣＤＭＡ、およびそれらの組合せなど、任意の種類の多元接続方式を利用するシステム内で広く適用できることを当業者なら理解されよう。
【００３６】
ＯＦＤＭＡ割当指示を使用するアップリンクＳＤＭＡ
空間分割多元接続（ＳＤＭＡ）方式では、複数の局（ＳＴＡ）からのアクセスポイント（ＡＰ）へのアップリンク（ＵＬ）伝送は、ＡＰが伝送を適切に復号できるようにするために同期されるべきである。ＵＬ伝送は、ＡＰにおける到達時間、周波数、パケットの受信電力長（received power length）、および空間ストリームの割当ての点で同期されるべきである。
【００３７】
ＵＬ同期は、ＡＰ上のスケジューラによって、または集中制御機能（ＰＣＦ：Ｐｏｉｎｔ  Ｃｏｏｒｄｉｎａｔｉｏｎ  Ｆｕｎｃｔｉｏｎ）もしくはＨＣＦ制御チャネルアクセス（ＨＣＣＡ：ＨＣＦ  Ｃｏｎｔｒｏｌｌｅｄ  Ｃｈａｎｎｅｌ  Ａｃｃｅｓｓ）を使用することによって実行することができるが、そうした機構は様々な理由から決して理想的ではない場合がある。例えば、ＡＰ上のスケジューラを使用することは複雑である可能性があり、加えて、必要なときにＳＴＡが送信機会（ＴｘＯＰ）を要求することを妨げることがある。
【００３８】
しかし、本明細書で提供する技法は、ＳＤＭＡ局からの割当て（ＴｘＯＰ）要求にＯＦＤＭを使用する、送信要求（ＲＴＳ）非競合ベース方式を利用する。これらの技法は、ＵＬ伝送の同期を最初に各局が達成することを可能にし、それにより、ＡＰ上のスケジューリングの負担を減らす。これを達成するために、ある実施形態では、各局はアップリンクデータを交換するときに１組の同期規則に従うことができる。その結果、本明細書で提供する特定の技法は、ＡＰが局ごとに空間リソースを調整し、場合によってはアップストリームの変調および符号化方式（ＭＣＳ）を決定することを可能にする、リソース効率のよいフレーム交換を提供することができる。
【００３９】
図４は、本開示のある実施形態による、アップリンクＳＤＭＡ伝送のフレームを交換するための動作の例を示す。図示する動作は、アクセスポイントにおいて実行される動作、および局において実行される対応する動作を含む。図５に示すタイミング図に関して説明するように、局の動作は複数のＳＤＭＡ局によって同時に実行されてよい。
【００４０】
ＡＰは、４０２で、「ＳＤＭＡを求める要求」またはＲＳＤＭＡと呼ぶことができる、ＵＬ  ＳＤＭＡ情報を求める要求を伝送することにより、フレーム交換を開始することができる。ある実施形態では、ＲＳＤＭＡを送信することによりフレーム交換を開始する前に、ＡＰは、例えば従来のＥＤＣＡ技法によりチャネルアクセスを得なければならない場合がある。しかし、ＵＬ  ＳＤＭＡフレーム系列内では、リソースの競合はなくてよい。
【００４１】
ＲＳＤＭＡフレームは、通常のマルチキャストＭＳＤＵとして送信することができる。すべての局がフレームを復号できることを確実にするために、伝統的なＭＣＳを使用することができる。帯域幅（例えば２０ＭＨｚ、４０ＭＨｚ、６０ＭＨｚ、または８０ＭＨｚ）、ガードインターバル長、パイロットトーン数（pilot tone number）など、ＲＳＤＭＡフレームの信号特性は、後続のＵＬ伝送にどの信号特性を使用すべきか各局に暗に知らせることができる。このＲＳＤＭＡは、以下に記載するＲＴＳ−ＭＡメッセージ（割当指示）に許可されるフレームの数も知らせることができる。このＲＳＤＭＡは、（例えば４ビットのフィールドとして）ＲＴＳ−ＭＡフレーム番号の始まり、およびフレーム番号の終わりも知らせることができる。
【００４２】
各ＲＴＳ−ＭＡフレームは、一定数のユーザに対応することができる（例えば、各フレームは、使用される２０ＭＨｚチャネル当たりのストリーム数に４を乗じた程度のユーザ数に対応することができる）。このＲＳＤＭＡは、ＲＴＳ−ＭＡに使用するための、割り当てられたトーンおよび空間ストリームについての指示も提供することができる。このＲＳＤＭＡは、クライアントがリンクバジェットを決定するのを助けるために使用される、出力電力指示（ＥＩＲＰ）も含むことができる。このＲＳＤＭＡは、時間同期および周波数同期を支援するための、ポストアンブルなどの機構も含むことができる。
【００４３】
４５２で、各局がＲＳＤＭＡを受信する。ＳＤＭＡ  ＵＬ伝送のタイミング（およびオプションで周波数同期）は、ＲＳＤＭＡの到達に基づいて同期することができる。ある実施形態では、ＲＳＤＭＡの受信電力を粗電力調整のために使用することもできる。
【００４４】
４５４で、局が送信要求多元接続（ＲＴＳ−ＭＡ）メッセージを伝送する。このＲＴＳ−ＭＡメッセージは、例えばこのＲＴＳ−ＭＡを送信している局が送信するためのＵＬデータを有することを指示する、リソースの割当てを求める要求を概して示す。このＲＴＳ−ＭＡは、伝送クラス（音声、映像、ベストエフォートなどのＴＣ）や伝送長など、様々なＵＬ伝送情報を含むことができる。例えば、１４ビットのＲＴＳ−ＭＡは、２ビットのＴＣ指示および１２ビットのデータ長を局が提供することを可能にできる。
【００４５】
ある実施形態では、ＲＴＳ−ＭＡフレームは、プリアンブルおよびデータを有するＯＦＤＭＡフレームを利用して送信することができる。各局に、ＲＴＳ−ＭＡを送信するために使用するための、トーンのサブセットおよびいくつかの空間ストリームを割り当てることができる。ある実施形態では、例えばＡＰとの最初のアソシエーション中に、トーンおよび空間ストリームを各局に事前に割り当てることができる。ただし、このトーンおよびストリームの割当ては、管理アクションフレームまたはマルチキャスト告知フレームを用いて変更することができる。各局は、例えばＱＰＳＫより高い１／２レートの符号化など、適切なＭＣＳを使用して自らのＲＴＳ−ＭＡを送信することができる。しかし、ある実施形態では、各局は、利用可能なすべての範囲のトーンおよび／または空間ストリームを有することができる。
【００４６】
ある実施形態では、多数の局に対応するために、（ＳＩＦＳ間隔によって分けられる）複数のＲＴＳ−ＭＡフレームを順番に送信することができる。例えば、２０ＭＨｚの帯域幅当たり４つの局を仮定すると、８０ＭＨｚおよびＡＰにおける１６個の受信アンテナを使用する単一のＲＴＳ−ＭＡフレームは、２５６局サポートすることができる。その一方で、この場合も２０ＭＨｚの帯域幅当たり４つの局を仮定すると、２０ＭＨｚおよびＡＰにおける４個の受信アンテナを使用する場合、１６個のＲＴＳ−ＭＡフレームが必要になる。
【００４７】
４０４で、ＡＰは各局からＲＴＳ−ＭＡメッセージを受信し、オプションで４０６で、ＲＴＳ−ＭＡ肯定応答（ＡＣＫ）メッセージを送信する。このＲＴＳ−ＭＡ  ＡＣＫは、ＲＴＳ−ＭＡ  ＡＣＫが各局によって受信されることを確実にする目的で、ＲＴＳ−ＭＡを送信するために局が使用する最も低いＭＣＳを使用してＡＰが送信するマルチキャストメッセージとすることができる。このＲＴＳ−ＭＡ  ＡＣＫは、オプションで空間ストリームの割当てを定義することができる。ある実施形態では、このＲＴＳ−ＭＡ  ＡＣＫは、１つまたは複数の局にサウンディング信号を要求することができ、すべての局が自らのＮＡＶを設定するための送信機会（ＴｘＯＰ）の長さを定義することができる。
【００４８】
ある実施形態では、ＡＰによって送信されるＲＴＳ−ＭＡ  ＡＣＫは、メッセージ内のＮビットとして含められる同期フィードバックを含むこともできる。例えば、ＲＴＳ−ＭＡ  ＡＣＫは、伝送の開始を遅らせ、もしくは早めるためのいくつかのサンプルを指定する４ビット、１ｄＢ単位で電力差を運ぶ４ビット、および／または３．１２ｋＨｚ単位で周波数差偏移（frequency differential shift）を運ぶ８ビットを含むことができる。そうしたフィードバック情報は、ＡＰが、各局から受信するサウンディング信号に基づいて各局の伝送パラメータを微調整することを可能にすることができる。
【００４９】
４５６で、送信される場合、この局はＲＴＳ−ＭＡ肯定応答メッセージを受信することができる。上記に述べたように、このＲＴＳ−ＭＡ  ＡＣＫは、オプションでサウンディング信号を一部の局に要求することができる。４５８で、サウンディング信号を送信することを要求された局が、サウンディング信号を送信する。このサウンディング信号は、フレームのプリアンブルとしてのみ送信することができ、プリアンブル内のロングトレーニングフィールド（ＬＴＦ）の数もＲＴＳ−ＭＡ  ＡＣＫメッセージ内で指定することができる。
【００５０】
４０８で、ＡＰがリソースの割当てを決定する。例えばＡＰは、ＲＴＳ−ＭＡメッセージ内で指示される伝送クラスおよび／または伝送長に基づき、どの局にＵＬリソースを割り当てるのか決定することができる。例えば、優先順位がより高い伝送クラス（例えば音声や映像）を指示する局には、優先順位がより低い伝送クラス（例えばベストエフォート）の局より前にリソースを割り当てることができる。同じＴＣを用いてＲＴＳ−ＭＡを送信したすべての局用に十分な帯域幅リソースがない場合、ＡＰは、伝送長に基づき、どの局にリソースを割り当てるか決定することができる。さらに、ある実施形態では、ＡＰは、サウンディング信号に基づいてリソースの割当てを決めることもできる。例えば、ある局が、その局の伝送が別の局と大いに関係しているように位置する場合、干渉を回避するために、現在のフレーム内でその局にリソースを割り当てないことが全体的により効率的であり得る。
【００５１】
４１０で、ＡＰが各局に割当確認を伝送する。上記に述べたように、この確認は、すべての局にまたは限られたサブセットにのみリソースが割り当てられたという指示を含むことができる。ＡＰは、サウンディングを受信した後に割当確認を送信することができる。この割当確認は、どの局がＳＤＭＡ  ＵＬデータを送信できるのかを知らせる、送信可多元接続（ＣＴＳ−ＭＡ）メッセージ（Clear to Sent multiple message）とみなすことができる。この割当確認は、すべての局が受信可能な最も低いＭＣＳを使用する、マルチキャスト集約ＭＡＣプロトコルデータユニット（Ａ−ＭＰＤＵ）として送信することができる。
【００５２】
この割当確認メッセージ内で、ＡＰは、ＳＤＭＡ  ＴｘＯＰにおいて各局が使用するための空間ストリームの割当てを確認することができる。前に説明したように、例えば優先順位が低い伝送クラスや他のクライアントとの高相関が原因で、一部の局にはＵＬリソースが割り当てられない場合がある。ＡＰは、オプションで、例えば受信したサウンディング信号に基づき、割当確認内で各局に新たなＭＣＳを割り当てることもできる。ＡＰは、各局がＮＡＶを設定するためのＴｘＯＰの長さを定義することもできる。
【００５３】
ある実施形態では、別個の割当肯定応答および割当確認を送信するのではなく、単一のメッセージを送信することができる。例えば、オプションのサウンディングを実行しない実施形態では、ＡＰは、ＲＴＳ−ＭＡを受信した後、各局へのＵＬリソースの割当てを肯定応答する単一のメッセージを送信することができる。
【００５４】
４６０で、この局が割当確認を受信し、この局にリソースが割り当てられたと仮定し、４６２でＳＤＭＡデータを伝送する。４１２で、ＡＰがＳＤＭＡデータを（複数の局から）受信する。上記に述べた同期規則を使用して割当操作およびスケジューリング操作の多くが各局に分散されるので、状態情報またはトランザクションの履歴を保存するオーバヘッドを招く必要はない。したがって、ＳＤＭＡ伝送を完了すると、４１４および４６４それぞれで、ＡＰおよび局はこのＳＤＭＡ交換に使用したメモリをフラッシュすることができる。
【００５５】
図５は、上記に述べた動作による、１つのＡＰと３つの局（ＳＴＡ１〜ＳＴＡ３）との間のＳＤＭＡ  ＵＬフレーム交換の一例を示す。図示するように、場合によってはＥＤＣＡ技法によりチャネルアクセスを得た後、ＡＰがＵＬ  ＳＤＭＡを求める要求（ＲＳＤＭＡ）５０２を送信することによって交換を開始する。ＲＳＤＭＡ５０２は、ＳＩＦＳによって分けられる、この交換内の残りのフレームを同期する。
【００５６】
各局は、そのＲＳＤＭＡに対し、（割当指示：ＡＩメッセージとして表記する）ＲＴＳ−ＭＡメッセージ５０４で応答する。上記に述べたように、ある実施形態では、ＲＴＳ−ＭＡメッセージ５０４は、トーンのサブセットおよびいくつかの空間ストリームが各局に割り当てられた状態で、各局がＯＦＤＭＡを使用して送信することができる。
【００５７】
図示する例では、ＡＰが、ＲＴＳ−ＭＡメッセージ５０４を、各局にサウンディング信号を要求することができる肯定応答メッセージ５０６で肯定応答する。各局は、サウンディングフレーム５０８で応答する。前に説明したように、サウンディングフレーム５０８は、ＡＰが、割当肯定応答（またはＣＴＳ−ＭＡ）メッセージ５１０内で各局に伝達する最終的なリソース割当てを決めることを助けることができる。
【００５８】
ＵＬリソースが割り当てられた局は、ＳＤＭＡ  ＵＬデータ５１２を送信する。図示する例では、局２にはリソースが割り当てられておらず、よって局２はＳＤＭＡ  ＵＬデータ５１２を送信することが許可されていない。ＡＰは、各局からのＳＤＭＡ  ＵＬデータ５１２をブロック肯定応答５１４で肯定応答し、それによりこのフレーム交換を終了することができる。
【００５９】
上記に述べた方法の様々な動作は、図中に示す機能手段ブロックに対応する様々なハードウェアおよび／またはソフトウェアロジック、１つもしくは複数のコンポーネントおよび／または１つもしくは複数のモジュールによって実行することができる。概して、図中に示された方法、対応する相手側の機能手段図を有する任意の適切な手段がある場合、動作ブロックは同様の番号が付けられた機能手段ブロックに対応する。例えば、図４に示す動作４００は、図４Ａに示す対応する手段４００Ａによって実行することができる。
【００６０】
本明細書で使用するとき、用語「決定すること（ｄｅｔｅｒｍｉｎｉｎｇ）」は多岐にわたる行為を包含する。例えば「決定すること」は、計算すること、コンピュータで計算すること、処理すること、導出すること、調査すること、探索すること（例えば表、データベース、または他のデータ構造を探索すること）、確認すること等を含むことができる。また、「決定すること」は、受け取ること（例えば情報を受け取ること）、アクセスすること（例えばメモリ内のデータにアクセスすること）等を含むことができる。さらに、「決定すること」は、分解すること、選択すること、選ぶこと、確立すること等を含むことができる。
【００６１】
情報および信号は、多岐にわたる様々な技術および技法のいずれかを使用して表すことができる。例えば、上記の説明全体にわたって言及することがあるデータ、命令、コマンド、情報、信号等は、電圧、電流、電磁波、磁界や磁粉、光場や光粒子、またはその任意の組合せによって表すことができる。
【００６２】
本開示に関連して記載した様々な説明のための論理ブロック、モジュール、および回路は、汎用プロセッサ、ディジタル信号プロセッサ（ＤＳＰ）、特定用途向け集積回路（ＡＳＩＣ）、書替え可能ゲートアレー信号（ＦＰＧＡ）や他のプログラム可能論理デバイス（ＰＬＤ）、個別ゲートやトランジスタ論理、個別ハードウェアコンポーネント、または本明細書に記載した機能を実行することを目的とするそれらの任意の組合せを用いて実装し、もしくは実行することができる。汎用プロセッサは、マイクロプロセッサとすることができるが、代替形態では、このプロセッサは任意の市販のプロセッサ、コントローラ、マイクロコントローラ、または状態機械とすることができる。プロセッサは、コンピューティングデバイスの組合せ、例えばＤＳＰとマイクロプロセッサとの組合せ、複数のマイクロプロセッサ、ＤＳＰコアに関連する１個もしくは複数個のマイクロプロセッサ、またはそのような他の任意の構成としても実装することができる。
【００６３】
本開示に関連して記載した方法またはアルゴリズムのステップは、ハードウェア内、プロセッサによって実行されるソフトウェアモジュール内、またはその２つの組合せの中に直接具体化することができる。ソフトウェアモジュールは、当技術分野で知られている任意の形式の記憶媒体の中にあることができる。使用することができる記憶媒体のいくつかの例には、ランダムアクセスメモリ（ＲＡＭ）、読み取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ等が含まれる。ソフトウェアモジュールは、単一の命令または多数の命令を備えることができ、いくつかの異なる符号セグメントにわたり、様々なプログラム間に、および複数の記憶媒体にわたり分散することができる。プロセッサが記憶媒体から情報を読み取り、記憶媒体に情報を書き込むことができるよう、記憶媒体をプロセッサに結合することができる。代替形態では、記憶媒体はプロセッサと一体型とすることができる。
【００６４】
本明細書に開示した方法は、記載した方法を達成するための１つまたは複数のステップもしくは行為を備える。その方法ステップおよび／または行為は、特許請求の範囲に記載の範囲から逸脱することなく互いに入れ替えることができる。つまり、ステップまたは行為の特定の順序が指定されていない限り、特許請求の範囲に記載の範囲から逸脱することなく特定のステップおよび／または行為の、順序および／または使用を修正することができる。
【００６５】
記載した機能は、ハードウェア、ソフトウェア、ファームウェア、またはそれらの任意の組合せに実装することができる。ソフトウェアに実装する場合、これらの機能はコンピュータ可読媒体上の１つまたは複数の命令として記憶することができる。記憶媒体は、コンピュータがアクセス可能な任意の利用可能な媒体とすることができる。限定ではなく例として、そうしたコンピュータ可読媒体は、ＲＡＭ、ＲＯＭ、ＥＥＰＲＯＭ、ＣＤ−ＲＯＭや他の光ディスク記憶域、磁気ディスク記憶域や他の磁気記憶デバイス、または所望のプログラムコードを命令やデータ構造の形で保持しもしくは記憶するために使用でき、コンピュータがアクセスすることができる他の任意の媒体を備えることができる。本明細書で使用するとき、ディスク（ｄｉｓｋ）およびディスク（ｄｉｓｃ）には、コンパクトディスク（ＣＤ）、レーザーディスク（登録商標）、光ディスク、ディジタル多用途ディスク（ＤＶＤ）、フロッピー（登録商標）ディスク、およびＢｌｕ−ｒａｙ（登録商標）ディスクが含まれ、ディスク（ｄｉｓｋ）が通常データを磁気的に複製するのに対し、ディスク（ｄｉｓｃ）はデータをレーザーで光学的に複製する。
【００６６】
ソフトウェアまたは命令は、伝送媒体を介して伝送することもできる。例えば、ソフトウェアが、同軸ケーブル、光ファイバケーブル、より対線、ディジタル加入者回線（ＤＳＬ）、または赤外線、無線、マイクロ波などの無線技術を使用してウェブサイト、サーバ、もしくは他のリモートソースから伝送される場合、その同軸ケーブル、光ファイバケーブル、より対線、ＤＳＬ、または赤外線、無線、マイクロ波などの無線技術は伝送媒体の定義に含まれる。
【００６７】
さらに、本明細書に記載した方法および技法を実行するためのモジュールならびに／または他の適切な手段は、規定通りにユーザ端末および／または基地局によりダウンロードされかつ／または他の方法で取得されてよいことを理解すべきである。例えば、本明細書に記載した方法を実行するための手段の転送を助けるために、そのようなデバイスをサーバに結合することができる。あるいは、記憶手段をデバイスに結合しまたは提供するとき、ユーザ端末および／または基地局が様々な方法を得ることができるよう、本明細書に記載した様々な方法を記憶手段（例えばＲＡＭ、ＲＯＭ、コンパクトディスク（ＣＤ）やフロッピーディスクなどの物理記憶媒体等）により提供することができる。さらに、本明細書に記載した方法および技法をデバイスに提供するための他の任意の適切な技法を利用することができる。
【００６８】
特許請求の範囲は、上記に示した厳密な構成およびコンポーネントに限定されないことを理解すべきである。特許請求の範囲に記載の範囲から逸脱することなく、上述した方法および装置の構成、動作、および詳細に関し、様々な修正、変更、および改変を加えることができる。
以下に本件出願当初の特許請求の範囲に記載された発明を付記する。
（１）
無線通信システム内で複数の無線ノードからのデータの同時伝送をスケジューリングするための方法であって、
前記無線ノードからのアップリンク伝送に関する情報を求める要求を伝送することと、
前記要求に応答して、前記無線ノードからのアップリンク伝送に関する情報を受信することと、
前記受信した情報に基づいて１組の前記無線ノードの少なくとも一部にアップリンクリソースを割り当てる、割当確認メッセージを伝送することと、
前記１組の無線ノードからデータの同時伝送を受信することと
を備える、方法。
（２）
前記１組の無線ノードからデータの同時伝送を受信することは、空間分割多元接続（ＳＤＭＡ）方式により送信されるデータの同時伝送を受信することを備える、（１）に記載の方法。
（３）
前記無線ノードからのアップリンク伝送に関する情報を求める前記要求、および前記割当確認メッセージのうちの少なくとも１つが、ＩＥＥＥ８０２．１１ファミリーの標準の少なくとも１つに規定されるメッセージ形式を使用して伝送される、（１）に記載の方法。
（４）
前記無線ノードからのアップリンク伝送に関する情報を求める前記要求を伝送する前に、チャネルアクセスを実行すること
をさらに備える、（１）に記載の方法。
（５）
前記要求に応答して、前記無線ノードからのアップリンク伝送に関する情報を受信することは、
直交分割多元接続（ＯＦＤＭＡ）方式により前記無線ノードから同時に伝送される前記情報を受信すること
を備える、（１）に記載の方法。
（６）
各無線ノードは、登録プロセス中に割り当てられる利用可能なトーンの所定のサブセット上で伝送する、（５）に記載の方法。
（７）
前記割当確認メッセージは、
タイミング調整情報、
周波数調整情報、および
電力調整情報
のうちの少なくとも１つを含む、（１）に記載の方法。
（８）
前記割当確認メッセージは、局ごとのタイミング調整情報のいくつかのビットを含む、（７）に記載の方法。
（９）
前記無線ノードからのアップリンク伝送に関する前記情報に少なくとも部分的に基づき、どの無線ノードにアップリンクリソースを割り当てるか決定すること
をさらに備える、（１）に記載の方法。
（１０）
前記無線ノードから伝送されるサウンディング信号を受信すること
をさらに備える、（１）に記載の方法。
（１１）
前記サウンディング信号に基づき、少なくとも部分的に、どの無線ノードにアップリンクリソースを割り当てるか決定すること
をさらに備える、（１０）に記載の方法。
（１２）
前記サウンディング信号に基づき、少なくとも部分的に、前記無線ノードからのアップリンク伝送のデータレートを決定すること
をさらに備える、（１０）に記載の方法。
（１３）
前記無線ノードからのアップリンク伝送に関する前記情報を受信したことを肯定応答する、肯定応答メッセージを伝送することをさらに備える、（１）に記載の方法。
（１４）
複数の無線ノードからのデータの同時伝送をサポートする無線通信システム内で、無線ノードからのデータの伝送をスケジューリングするための方法であって、
前記システム内で利用可能なトーンのサブセットを利用する直交周波数分割多元接続（ＯＦＤＭＡ）伝送方式により、アップリンク伝送に関する情報を伝送することと、
前記アップリンク伝送に関する伝送済み情報を受信したことを肯定応答するメッセージを受信することと、
割当確認メッセージを受信した後にアップリンク上でデータを伝送することと
を備える、方法。
（１５）
前記無線ノードからのアップリンク伝送に関する情報を求める要求を受信することと、
前記要求に応答して、アップリンク伝送に関する前記情報を伝送することと
をさらに備える、（１４）に記載の方法。
（１６）
前記無線ノードからのアップリンク伝送に関する情報を求める前記要求、および前記割当確認メッセージのうちの少なくとも１つが、ＩＥＥＥ８０２．１１ファミリーの標準の少なくとも１つに規定されるメッセージ形式を使用して伝送される、（１５）に記載の方法。
（１７）
前記割当確認メッセージを受信した後にアップリンク上でデータを伝送することは、
空間分割多元接続（ＳＤＭＡ）方式により、他の無線ノードからの前記アップリンク上の伝送と同時に、前記アップリンク上でデータを伝送すること
を備える、（１４）に記載の方法。
（１８）
各無線ノードは、登録プロセス中に割り当てられる利用可能なトーンの所定のサブセット上で、ＯＦＤＭＡ伝送方式によりアップリンク伝送に関する情報を伝送する、（１７）に記載の方法。
（１９）
前記アップリンク伝送に関する伝送済み情報を受信したことを肯定応答する前記メッセージ内で
タイミング調整情報、
周波数調整情報、および
電力調整情報
のうちの少なくとも１つを受信することをさらに備える、（１４）に記載の方法。
（２０）
前記アップリンク伝送に関する伝送済み情報を受信したことを肯定応答する前記メッセージを受信した後に、チャネル推定で使用するためのサウンディング信号を伝送すること
をさらに備える、（１４）に記載の方法。
（２１）
前記アップリンク上でデータを伝送するために使用するためのデータレートの指示を受信すること
をさらに備える、（１４）に記載の方法。
（２２）
アップリンク伝送に関する前記情報は、
伝送クラスの指示、および
伝送の長さ
のうちの少なくとも１つを備える、（１４）に記載の方法。
（２３）
無線通信システム内で複数の無線ノードからのデータの同時伝送をスケジューリングするための装置であって、
前記無線ノードからのアップリンク伝送に関する情報を求める要求を伝送するためのロジックと、
前記要求に応答して、前記無線ノードからのアップリンク伝送に関する情報を受信するためのロジックと、
前記受信した情報に基づいて１組の前記無線ノードの少なくとも一部にアップリンクリソースを割り当てる、割当確認メッセージを伝送するためのロジックと、
前記１組の無線ノードからデータの同時伝送を受信するためのロジックと
を備える、装置。
（２４）
前記１組の無線ノードからデータの同時伝送を受信するための前記ロジックは、空間分割多元接続（ＳＤＭＡ）方式により送信されるデータの同時伝送を受信することを備える、（２３）に記載の装置。
（２５）
前記無線ノードからのアップリンク伝送に関する情報を求める前記要求、および前記割当確認メッセージのうちの少なくとも１つが、ＩＥＥＥ８０２．１１ファミリーの標準の少なくとも１つに規定されるメッセージ形式を使用して伝送される、（２３）に記載の装置。
（２６）
前記無線ノードからのアップリンク伝送に関する情報を求める前記要求を伝送する前に、チャネルアクセスを実行するためのロジック
をさらに備える、（２３）に記載の装置。
（２７）
前記要求に応答して、前記無線ノードからのアップリンク伝送に関する情報を受信するための前記ロジックは、直交分割多元接続（ＯＦＤＭＡ）方式により前記無線ノードから同時に伝送される前記情報を受信するように構成される、（２３）に記載の装置。
（２８）
各無線ノードは、登録プロセス中に割り当てられる利用可能なトーンの所定のサブセット上で伝送する、（２７）に記載の装置。
（２９）
前記割当確認メッセージは、
タイミング調整情報、
周波数調整情報、および
電力調整情報
のうちの少なくとも１つを含む、（２３）に記載の装置。
（３０）
前記割当確認メッセージは、局ごとのタイミング調整情報のいくつかのビットを含む、（２９）に記載の装置。
（３１）
前記無線ノードからのアップリンク伝送に関する前記情報に少なくとも部分的に基づき、どの無線ノードにアップリンクリソースを割り当てるか決定するためのロジック
をさらに備える、（２３）に記載の装置。
（３２）
前記無線ノードから伝送されるサウンディング信号を受信するためのロジック
をさらに備える、（２３）に記載の装置。
（３３）
前記サウンディング信号に少なくとも部分的に基づき、どの無線ノードにアップリンクリソースを割り当てるか決定するためのロジック
をさらに備える、（３２）に記載の装置。
（３４）
前記サウンディング信号に少なくとも部分的に基づき、前記無線ノードからのアップリンク伝送のデータレートを決定するためのロジック
をさらに備える、（３２）に記載の装置。
（３５）
前記無線ノードからのアップリンク伝送に関する前記情報を受信したことを肯定応答する、肯定応答メッセージを伝送するためのロジックをさらに備える、（２３）に記載の装置。
（３６）
複数の無線ノードからのデータの同時伝送をサポートする無線通信システム内で、無線ノードからのデータの伝送をスケジューリングするための装置であって、
前記システム内で利用可能なトーンのサブセットを利用する直交周波数分割多元接続（ＯＦＤＭＡ）伝送方式により、アップリンク伝送に関する情報を伝送するためのロジックと、
前記アップリンク伝送に関する伝送済み情報を受信したことを肯定応答するメッセージを受信するためのロジックと、
割当確認メッセージを受信した後にアップリンク上でデータを伝送するためのロジックと
を備える、装置。
（３７）
前記無線ノードからのアップリンク伝送に関する情報を求める要求を受信するためのロジックと、
前記要求に応答して、アップリンク伝送に関する前記情報を伝送するためのロジックと
をさらに備える、（３６）に記載の装置。
（３８）
前記無線ノードからのアップリンク伝送に関する情報を求める前記要求、および前記割当確認メッセージのうちの少なくとも１つが、ＩＥＥＥ８０２．１１ファミリーの標準の少なくとも１つに規定されるメッセージ形式を使用して伝送される、（３７）に記載の装置。
（３９）
前記割当確認メッセージを受信した後にアップリンク上でデータを伝送するための前記ロジックは、空間分割多元接続（ＳＤＭＡ）方式により、他の無線ノードからの前記アップリンク上の伝送と同時に、前記アップリンク上でデータを伝送するように構成される、（３６）に記載の装置。
（４０）
各無線ノードは、登録プロセス中に割り当てられる利用可能なトーンの所定のサブセット上で、ＯＦＤＭＡ伝送方式によりアップリンク伝送に関する情報を伝送する、（３９）に記載の装置。
（４１）
前記アップリンク伝送に関する伝送済み情報を受信したことを肯定応答する前記メッセージ内で
タイミング調整情報、
周波数調整情報、および
電力調整情報
のうちの少なくとも１つを受信するためのロジックをさらに備える、（３６）に記載の装置。
（４２）
前記アップリンク伝送に関する伝送済み情報を受信したことを肯定応答する前記メッセージを受信した後に、チャネル推定で使用するためのサウンディング信号を伝送するためのロジック
をさらに備える、（３６）に記載の装置。
（４３）
前記アップリンク上でデータを伝送するために使用するためのデータレートの指示を受信するためのロジック
をさらに備える、（３６）に記載の装置。
（４４）
アップリンク伝送に関する前記情報は、
伝送クラスの指示、および
伝送の長さ
のうちの少なくとも１つを備える、（３６）に記載の装置。
（４５）
無線通信システム内で複数の無線ノードからのデータの同時伝送をスケジューリングするための装置であって、
前記無線ノードからのアップリンク伝送に関する情報を求める要求を伝送するための手段と、
前記要求に応答して、前記無線ノードからのアップリンク伝送に関する情報を受信するための手段と、
前記受信した情報に基づいて１組の前記無線ノードの少なくとも一部にアップリンクリソースを割り当てる、割当確認メッセージを伝送するための手段と、
前記１組の無線ノードからデータの同時伝送を受信するための手段と
を備える、装置。
（４６）
前記１組の無線ノードからデータの同時伝送を受信するための前記手段は、空間分割多元接続（ＳＤＭＡ）方式により送信されるデータの同時伝送を受信することを備える、（４５）に記載の装置。
（４７）
前記無線ノードからのアップリンク伝送に関する情報を求める前記要求、および前記割当確認メッセージのうちの少なくとも１つが、ＩＥＥＥ８０２．１１ファミリーの標準の少なくとも１つに規定されるメッセージ形式を使用して伝送される、（４５）に記載の装置。
（４８）
前記無線ノードからのアップリンク伝送に関する情報を求める前記要求を伝送する前に、チャネルアクセスを実行するための手段
をさらに備える、（４５）に記載の装置。
（４９）
前記要求に応答して、前記無線ノードからのアップリンク伝送に関する情報を受信するための前記手段は、直交分割多元接続（ＯＦＤＭＡ）方式により前記無線ノードから同時に伝送される前記情報を受信するように構成される、（４５）に記載の装置。
（５０）
各無線ノードは、登録プロセス中に割り当てられる利用可能なトーンの所定のサブセット上で伝送する、（４９）に記載の装置。
（５１）
前記割当確認メッセージは、
タイミング調整情報、
周波数調整情報、および
電力調整情報
のうちの少なくとも１つを含む、（４５）に記載の装置。
（５２）
前記割当確認メッセージは、局ごとのタイミング調整情報のいくつかのビットを含む、（５１）に記載の装置。
（５３）
前記無線ノードからのアップリンク伝送に関する前記情報に少なくとも部分的に基づき、どの無線ノードにアップリンクリソースを割り当てるか決定するための手段
をさらに備える、（４５）に記載の装置。
（５４）
前記無線ノードから伝送されるサウンディング信号を受信するための手段
をさらに備える、（４５）に記載の装置。
（５５）
前記サウンディング信号に少なくとも部分的に基づき、どの無線ノードにアップリンクリソースを割り当てるか決定するための手段
をさらに備える、（５４）に記載の装置。
（５６）
前記サウンディング信号に少なくとも部分的に基づき、前記無線ノードからのアップリンク伝送のデータレートを決定するための手段
をさらに備える、（５４）に記載の装置。
（５７）
前記無線ノードからのアップリンク伝送に関する前記情報を受信したことを肯定応答する、肯定応答メッセージを伝送するための手段をさらに備える、（４５）に記載の装置。
（５８）
複数の無線ノードからのデータの同時伝送をサポートする無線通信システム内で、無線ノードからのデータの伝送をスケジューリングするための装置であって、
前記システム内で利用可能なトーンのサブセットを利用する直交周波数分割多元接続（ＯＦＤＭＡ）伝送方式により、アップリンク伝送に関する情報を伝送するための手段と、
前記アップリンク伝送に関する伝送済み情報を受信したことを肯定応答するメッセージを受信するための手段と、
割当確認メッセージを受信した後にアップリンク上でデータを伝送するための手段と
を備える、装置。
（５９）
前記無線ノードからのアップリンク伝送に関する情報を求める要求を受信するための手段と、
前記要求に応答して、アップリンク伝送に関する前記情報を伝送するための手段と
をさらに備える、（５８）に記載の装置。
（６０）
前記無線ノードからのアップリンク伝送に関する情報を求める前記要求、および前記割当確認メッセージのうちの少なくとも１つが、ＩＥＥＥ８０２．１１ファミリーの標準の少なくとも１つに規定されるメッセージ形式を使用して伝送される、（５９）に記載の装置。
（６１）
前記割当確認メッセージを受信した後にアップリンク上でデータを伝送するための前記手段は、空間分割多元接続（ＳＤＭＡ）方式により、他の無線ノードからの前記アップリンク上の伝送と同時に、前記アップリンク上でデータを伝送するように構成される、（５８）に記載の装置。
（６２）
各無線ノードは、登録プロセス中に割り当てられる利用可能なトーンの所定のサブセット上で、ＯＦＤＭＡ伝送方式によりアップリンク伝送に関する情報を伝送する、（６１）に記載の装置。
（６３）
前記アップリンク伝送に関する伝送済み情報を受信したことを肯定応答する前記メッセージ内で
タイミング調整情報、
周波数調整情報、および
電力調整情報
のうちの少なくとも１つを受信するための手段をさらに備える、（５８）に記載の装置。
（６４）
前記アップリンク伝送に関する伝送済み情報を受信したことを肯定応答する前記メッセージを受信した後に、チャネル推定で使用するためのサウンディング信号を伝送するための手段
をさらに備える、（５８）に記載の装置。
（６５）
前記アップリンク上でデータを伝送するために使用するためのデータレートの指示を受信するための手段
をさらに備える、（５８）に記載の装置。
（６６）
アップリンク伝送に関する前記情報は、
伝送クラスの指示、および
伝送の長さ
のうちの少なくとも１つを備える、（５８）に記載の装置。
（６７）
１個または複数個のプロセッサによって実行可能な命令がその上に記憶されたコンピュータ可読媒体を備える、無線通信システム内で複数の無線ノードからのデータの同時伝送をスケジューリングするためのコンピュータプログラム製品であって、前記命令は、
前記無線ノードからのアップリンク伝送に関する情報を求める要求を伝送し、
前記要求に応答して、前記無線ノードからのアップリンク伝送に関する情報を受信し、
前記受信した情報に基づいて１組の前記無線ノードの少なくとも一部にアップリンクリソースを割り当てる、割当確認メッセージを伝送し、
前記１組の無線ノードからデータの同時伝送を受信するための命令を備える、
コンピュータプログラム製品。
（６８）
１個または複数個のプロセッサによって実行可能な命令がその上に記憶されたコンピュータ可読媒体を備える、複数の無線ノードからのデータの同時伝送をサポートする無線通信システム内で、無線ノードからのデータの伝送をスケジューリングするためのコンピュータプログラム製品であって、前記命令は、
前記システム内で利用可能なトーンのサブセットを利用する直交周波数分割多元接続（ＯＦＤＭＡ）伝送方式により、アップリンク伝送に関する情報を伝送し、
前記アップリンク伝送に関する伝送済み情報を受信したことを肯定応答するメッセージを受信し、
割当確認メッセージを受信した後にアップリンク上でデータを伝送するための命令を備える、
コンピュータプログラム製品。
【図１】
0005248679.tif 000002
【図２】
0005248679.tif 000003
【図３】
0005248679.tif 000004
【図４】
0005248679.tif 000005
【図４Ａ】
0005248679.tif 000006
【図５】
0005248679.tif 000007